(57)【特許請求の範囲】
【請求項１】
防水材（４）が敷設された野地板（２）に太陽電池モジュールパネル（１２）を複数配置し、対向する左右の太陽電池モジュールパネル（１２）の側部同士を互いに結合するようにした屋根用太陽電池モジュールパネル取付装置において、前記野地板（２）上に該野地板（２）面に対して垂直方向に所定の高さを有するパネル支持片（６ｈ）（３２）を立設し、該パネル支持片（６ｈ）（３２）の上端によって前記太陽電池モジュールパネル（１２）を前記野地板（２）との間に所定の空気層を存して該野地板（２）上に水平に支持する一方、前記野地板（２）上に上部が開放された角筒部を有する架台（８）（２６）（３０）を固設し、該架台（８）（２６）（３０）の角筒部内に上昇方向の移動が係止されるように板ナット（２０）を配置し、前記互いに対向する左右の太陽電池モジュールパネル（１２）の側部を前記架台（８）（２６）（３０）上で所定間隔を存して対向せしめ、前記架台（８）（２６）（３０）の立ち上り部（８ｂ）（８ｃ）（８ｄ）（２６ａ）（２６ｂ）で前記太陽電池モジュールパネル（１２）の側部を支承し、前記左右の太陽電池モジュールパネル（１２）の対向する側部間に該側部の略全長にわたって延びるモジュール間カバー（１４）（２８）を配置し、該モジュール間カバー（１４）（２８）のボルト挿入穴（１６）に挿入したボルト（１８）を前記板ナット（２０）にねじ込み、前記ボルト（１８）の締付力によって前記板ナット（２０）を支点として前記モジュール間カバー（１４）（２８）を前記互いに対向する左右の太陽電池モジュールパネル（１２）の側部に嵌合したフレーム（１０）に圧着し、 前記野地板（２）上面に前記防水材（４）の上から前記パネル支持片（６ｈ）が一体的に形成された複数の金属製の外囲板（６）を互いに結合して敷設し、前記各外囲板（６）を前記野地板（２）に固定し、前記外囲板（６）上に前記架台（８）を載置し、該架台（８）を前記外囲板（６）に結合し、前記左右の太陽電池モジュールパネル（１２）の対向する側部に脱着自在に引掛溝部（１０ｃ）を有するフレーム（１０）を嵌合し、前記モジュール間カバー（１４）に前記引掛溝部（１０ｃ）に挿入自在な係合部（１４ｂ）を設け、該係合部（１４ｂ）を前記引掛溝部（１０ｃ）に嵌合し、前記板ナット（２０）を前記フレーム（１０）の下面に係合させ、前記ボルト（１８）の締付力によって前記フレーム（１０）を前記モジュール間カバー（１４）と板ナット（２０）とで挟圧し、前記フレーム（１０）に係合凹部（１０ｄ）を設け、前記架台（８）に前記係合凹部（１０ｄ）と係合するための上位水平部（８ｅ）（８ｆ）を設け、該上位水平部（８ｅ）（８ｆ）を前記係合凹部（１０ｄ）に係合させたことを特徴とする屋根用太陽電池モジュールパネル取付装置。
【請求項２】
防水材（４）が敷設された野地板（２）に太陽電池モジュールパネル（１２）を複数配置し、対向する左右の太陽電池モジュールパネル（１２）の側部同士を互いに結合するようにした屋根用太陽電池モジュールパネル取付装置において、前記野地板（２）上に該野地板（２）面に対して垂直方向に所定の高さを有するパネル支持片（６ｈ）（３２）を立設し、該パネル支持片（６ｈ）（３２）の上端によって前記太陽電池モジュールパネル（１２）を前記野地板（２）との間に所定の空気層を存して該野地板（２）上に水平に支持する一方、前記野地板（２）上に上部が開放された角筒部を有する架台（８）（２６）（３０）を固設し、該架台（８）（２６）（３０）の角筒部内に上昇方向の移動が係止されるように板ナット（２０）を配置し、前記互いに対向する左右の太陽電池モジュールパネル（１２）の側部を前記架台（８）（２６）（３０）上で所定間隔を存して対向せしめ、前記架台（８）（２６）（３０）の立ち上り部（８ｂ）（８ｃ）（８ｄ）（２６ａ）（２６ｂ）で前記太陽電池モジュールパネル（１２）の側部を支承し、前記左右の太陽電池モジュールパネル（１２）の対向する側部間に該側部の略全長にわたって延びるモジュール間カバー（１４）（２８）を配置し、該モジュール間カバー（１４）（２８）のボルト挿入穴（１６）に挿入したボルト（１８）を前記板ナット（２０）にねじ込み、前記ボルト（１８）の締付力によって前記板ナット（２０）を支点として前記モジュール間カバー（１４）（２８）を前記互いに対向する左右の太陽電池モジュールパネル（１２）の側部に嵌合したフレーム（１０）に圧着し、 前記野地板（２）上面に前記防水材（４）の上から前記パネル支持片（６ｈ）が一体的に形成された複数の金属製の外囲板（６）を互いに結合して敷設し、前記各外囲板（６）を前記野地板（２）に固定し、前記外囲板（６）上に前記架台（２６）を載置し、該架台（２６）にフレーム受け（２６ｃ）（２６ｄ）を設け、該架台（２６）を前記外囲板（６）に結合し、前記左右の太陽電池モジュールパネル（１２）の対向する側部に脱着自在に引掛溝部（１０ｃ）を有するフレーム（１０）を嵌合し、該フレーム（１０）を前記フレーム受け（２６ｃ）（２６ｄ）に載置し、前記モジュール間カバー（１４）に前記引掛溝部（１０ｃ）に挿入自在な係合部（１４ｂ）を設け、該係合部（１４ｂ）を前記引掛溝部（１０ｃ）に嵌合し、前記板ナット（２０）を前記架台（２６）のフレーム受け（２６ｃ）（２６ｄ）の下面に係合させ、前記ボルト（１８）の締付力によって前記フレーム（１０）を前記モジュール間カバー（１４）と前記フレーム受け（２６ｃ）（２６ｄ）とで挟圧したことを特徴とする屋根用太陽電池モジュールパネル取付装置。
【請求項３】
防水材（４）が敷設された野地板（２）に太陽電池モジュールパネル（１２）を複数配置し、対向する左右の太陽電池モジュールパネル（１２）の側部同士を互いに結合するようにした屋根用太陽電池モジュールパネル取付装置において、前記野地板（２）上に該野地板（２）面に対して垂直方向に所定の高さを有するパネル支持片（６ｈ）（３２）を立設し、該パネル支持片（６ｈ）（３２）の上端によって前記太陽電池モジュールパネル（１２）を前記野地板（２）との間に所定の空気層を存して該野地板（２）上に水平に支持する一方、前記野地板（２）上に上部が開放された角筒部を有する架台（８）（２６）（３０）を固設し、該架台（８）（２６）（３０）の角筒部内に上昇方向の移動が係止されるように板ナット（２０）を配置し、前記互いに対向する左右の太陽電池モジュールパネル（１２）の側部を前記架台（８）（２６）（３０）上で所定間隔を存して対向せしめ、前記架台（８）（２６）（３０）の立ち上り部（８ｂ）（８ｃ）（８ｄ）（２６ａ）（２６ｂ）で前記太陽電池モジュールパネル（１２）の側部を支承し、前記左右の太陽電池モジュールパネル（１２）の対向する側部間に該側部の略全長にわたって延びるモジュール間カバー（１４）（２８）を配置し、該モジュール間カバー（１４）（２８）のボルト挿入穴（１６）に挿入したボルト（１８）を前記板ナット（２０）にねじ込み、前記ボルト（１８）の締付力によって前記板ナット（２０）を支点として前記モジュール間カバー（１４）（２８）を前記互いに対向する左右の太陽電池モジュールパネル（１２）の側部に嵌合したフレーム（１０）に圧着し、 前記野地板（２）上面に前記防水材（４）の上から前記パネル支持片（６ｈ）が一体的に形成された複数の金属製の外囲板（６）を互いに結合して敷設し、前記各外囲板（６）を前記野地板（２）に固定し、前記外囲板（６）上に前記架台（２６）を載置し、該架台（２６）にフレーム受け（２６ｃ）（２６ｄ）を設け、該架台（２６）を前記外囲板（６）に結合し、前記左右の太陽電池モジュールパネル（１２）の対向する側部を前記フレーム受け（２６ｃ）（２６ｄ）に載置し、前記モジュール間カバー（２８）の下面の両側を前記左右の太陽電池モジュールパネル（１２）の対向する側部の上面に載置し、前記板ナット（２０）を前記架台（２６）のフレーム受け（２６ｃ）（２６ｄ）の下面に係合させ、前記ボルト（１８）の締付力によって前記左右の太陽電池モジュールパネル（１２）の対向する側部を前記モジュール間カバー（１４）と前記フレーム受け（２６ｃ）（２６ｄ）とで挟圧したことを特徴とする屋根用太陽電池モジュールパネル取付装置。
【発明の詳細な説明】
【０００１】
【発明の属する技術分野】
本発明は、屋根に用いられる太陽電池モジュールパネル取付装置に関する。
【０００２】
【従来の技術】
特開平７−２１７１０１号公報には、波形の屋根板に太陽電池モジュールパネルを取り付けた太陽電池モジュールパネル取付装置が開示されている。また、特開平７−２１７１０２号公報には、屋根板にキャップを介して太陽電池モジュールパネルを取り付けた太陽電池モジュールパネル取付装置が開示されている。また、特開平１１−３００１４号公報には、屋根板の平板面に太陽電池モジュールパネル支承し、板受け部材に立設された引掛け爪と板連結子との係合によって太陽電池モジュールパネルを板受け部材に保持した太陽電池モジュールパネル取付装置が開示されている。
【０００３】
【発明が解決しようとする課題】
屋根板に野地板面から所定の高さを保有して太陽電池モジュールパネルを支持する機構は、太陽電池モジュールパネルの全重量が屋根板にかかるため、屋根板が傷み易く、またそれを避けるために、屋根板を強固に構成する必要があり、コスト高となるという問題点があった。また、屋根板の平板部で太陽電池モジュールパネルを支承する機構は、太陽電池モジュールパネルの下面と屋根板の平板部との間に充分な空気層を形成することができず、太陽電池モジュールパネルの発熱を効率的に防止できないという問題点があり、また太陽電池モジュールパネルの下面に配設されたケーブルの十分な収納スペースを確保できないという問題点があった。また、引掛け爪と板連結子との係合によって太陽電池モジュールパネルを支持しようとすると充分な支持力が得られないという問題点があった。
本発明は、上記問題点を解決することを目的とするものである。
【０００４】
【課題を解決するための手段】
上記目的を達成するため、本発明は、防水材４が敷設された野地板２に太陽電池モジュールパネル１２を複数配置し、対向する左右の太陽電池モジュールパネル１２の側部同士を互いに結合するようにした屋根用太陽電池モジュールパネル取付装置において、前記野地板２上に該野地板２面に対して垂直方向に所定の高さを有するパネル支持片６ｈ，３２を立設し、該パネル支持片６ｈ，３２の上端によって前記太陽電池モジュールパネル１２を前記野地板２との間に所定の空気層を存して該野地板２上に水平に支持する一方、前記野地板２上に上部が開放された角筒部を有する架台８，２６，３０を固設し、該架台，８，２６，３０の角筒部内に上昇方向の移動が係止されるように板ナット２０を配置し、前記互いに対向する左右の太陽電池モジュールパネル１２の側部を前記架台８，２６，３０上で所定間隔を存して対向せしめ、前記架台８，２６，３０の立ち上り部８ｂ，８ｃ，８ｄ，２６ａ，２６ｂで前記太陽電池モジュールパネル１２の側部を支承し、前記左右の太陽電池モジュールパネル１２の対向する側部間に該側部の略全長にわたって延びるモジュール間カバー１４，２８を配置し、該モジュール間カバー１４，２８のボルト挿入穴１６に挿入したボルト１８を前記板ナット２０にねじ込み、前記ボルト１８の締付力によって前記板ナット２０を支点として前記モジュール間カバー１４，２８を前記互いに対向する左右の太陽電池モジュールパネル１２の側部に嵌合したフレーム１０に圧着したものである。
また、本発明は、前記野地板２上面に前記防水材の上から前記パネル支持片６ｈが一体的に形成された複数の金属製の外囲板６を互いに結合して敷設し、前記各外囲板６を前記野地板２に固定し、前記外囲板６上に前記架台８を載置し、該架台８を前記外囲板６に結合し、前記左右の太陽電池モジュールパネル１２の対向する側部に脱着自在に引掛溝部１０ｃを有するフレーム１０を嵌合し、前記モジュール間カバー１４に前記引掛溝部１０ｃに挿入自在な係合部１４ｂを設け、該係合部１４ｂを前記引掛溝部１０ｃに嵌合し、前記板ナット２０を前記フレーム１０の下面に係合させ、前記ボルト１８の締付力によって前記フレーム１０を前記モジュール間カバー１４と板ナット２０とで挟圧し、前記フレーム１０に係合凹部１０ｄを設け、前記架台８に前記係合凹部１０ｄと係合するための上位水平部８ｅ，８ｆを設け、該上位水平部８ｅ，８ｆを前記係合凹部１０ｄに係合させたものである。
また、本発明は、前記野地板２上面に前記防水材４の上から前記パネル支持片６ｈが一体的に形成された複数の金属製の外囲板６を互いに結合して敷設し、前記各外囲板６を前記野地板２に固定し、前記外囲板６上に前記架台２６を載置し、該架台２６にフレーム受け２６ｃ，２６ｄを設け、該架台２６を前記外囲板６に結合し、前記左右の太陽電池モジュールパネル１２の対向する側部に脱着自在に引掛溝部１０ｃを有するフレーム１０を嵌合し、該フレーム１０を前記フレーム受け２６ｃ，２６ｄに載置し、前記モジュール間カバー１４に前記引掛溝部１０ｃに挿入自在な係合部１４ｂを設け、該係合部１４ｂを前記引掛溝部１０ｃに嵌合し、前記板ナット２０を前記架台２６のフレーム受け２６ｃ，２６ｄの下面に係合させ、前記ボルト１８の締付力によって前記フレーム１０を前記モジュール間カバー１４と前記フレーム受け２６ｃ，２６ｄとで挟圧したものである。
また、本発明は、前記野地板２上面に前記防水材４の上から前記パネル支持片６ｈが一体的に形成された複数の金属製の外囲板６を互いに結合して敷設し、前記各外囲板６を前記野地板２に固定し、前記外囲板６上に前記架台２６を載置し、該架台２６にフレーム受け２６ｃ，２６ｄを設け、該架台２６を前記外囲板６に結合し、前記左右の太陽電池モジュールパネル１２の対向する側部を前記フレーム受け２６ｃ，２６ｄに載置し、前記モジュール間カバー２８の下面の両側を前記左右の太陽電池モジュールパネル１２の対向する側部の上面に載置し、前記板ナット２０を前記架台２６のフレーム受け２６ｃ，２６ｄの下面に係合させ、前記ボルト１８の締付力によって前記左右の太陽電池モジュールパネル１２の対向する側部を前記モジュール間カバー１４と前記フレーム受け２６ｃ，２６ｄとで挟圧したものである。
また、本発明は、前記架台３０を前記防水材４の上から前記野地板２にビス３３によって固定し、前記パネル支持片３２を前記防水材４の上から前記野地板２にビスによって固定したものである。
【０００５】
【発明の実施の形態】
以下に本発明の実施の形態を添付した図面を参照して詳細に説明する。
図１において、２は建物の屋根を構成する野地板であり、Ｃ型鋼などから成る母屋（図示省略）によって支持されている。前記野地板２の上面には、アスファルトルーフィングなどの合成樹脂製の防水材４が敷設されている。
【０００６】
６は外囲板であり、ステンレスなどの横幅約４０センチメートルの長尺帯状の金属板により構成されている。外囲板６は、複数、縦向きの状態で横方向に配列されている。ここで、縦向き即ち縦方向とは建物の棟に対して直角な方向のことであり、横方向とは、棟に対して平行な方向のことである。各外囲板６は図５に示すように、左側部に、立ち上り部６ａと、該立ち上り部６ａに対して直角な上位水平部６ｂと、該上位水平部６ｂに対して下向きに屈折した下向き接続片６ｃとから成る取付部６ｄが形成されている。
【０００７】
各外囲板６の右側部には、逆Ｌ字型の立ち上り部６ｅと下位平板片６ｆとから成る吊子部６ｇが形成され、該吊子部６ｇと前記取付部６ｄの中間には、複数の逆Ｌ字型のパネル支持片６ｈが一体的に形成されている。８は図１中、紙面垂直方向即ち縦方向に延びる長尺状のアルミニューム製の架台であり、図４に示すように、底板部８ａと、該底板部８ａに対して直角な、パネル支持用の立ち上り部８ｂ，８ｃ，８ｄと、該立ち上り部８ｂ，８ｃ，に直角な上位水平部８ｅ，８ｆと、横Ｕ字状の嵌合部８ｇが一体的に形成されている。前記架台８の底板部８ａと立ち上がり部８ｂ，８ｃと上位水平部８ｅ，８ｆは、上部が開放された角筒部を構成している。
【０００８】
１０はフレームであり、図８に示すように、帯状の金属製の本体１０ａに太陽電池モジュールパネル１２の側部に脱着自在に嵌合可能な横Ｕ字状の嵌合部１０ｂと、引掛溝部１０ｃと、係合凹部１０ｄが一体的に形成されている。１４は帯状の金属板から成るモジュール間カバーであり、図７に示すように、平板部１４ａの両側部に下向きに突出する係合部１４ｂが一体的に形成されている。
【０００９】
モジュール間カバー１４は、縦方向に配列された複数の太陽電池モジュールパネル１２の側部の長さと略同一長に形成され、該カバー１４の平板部１４ａには、所定間隔置きにボルト挿入穴１６が穿設されている。図２中、１８はボルト、２０は細長状の板ナット、２２はコイルスプリングである。
【００１０】
次に外囲板６と架台８とを野地板２の上に取り付ける工程について説明する。図１及び図６において、左側の外囲板６を防水材４の上から野地板２上に配置し、該外囲板６の左側部（図示省略）を隣接する外囲板（図示省略）の吊子部に結合し、しかる後に、左側の外囲板６の吊子部６ｇの下位平板片６ｆをビス２４によって、野地板２の上から母屋に固定する。
【００１１】
次に、右側の外囲板６を、左側の外囲板６の右側に配置し、その下向き接続片６ｃを、左側の外囲板６の吊子部６ｇに引掛け該引掛け部分を折り曲げて結合する。このようにして、順次、複数の外囲板６を横方向に接続する。
次に、架台８を、外囲板６の立ち上り部６ａとパネル支持片６ｈ間の平板部に載置し、その嵌合部８ｇを取付部６ｄの上から吊子部６ｇに嵌合する。
【００１２】
次に、パネル支持片６ｈの上部を図２に示すように屈曲させて、パネル支持片６ｈを架台８の立ち上り部８ｄに結合する。これにより、架台８は外囲板６に固定され、左右及び上昇方向の移動が阻止される。
次に、薄板四角形状の太陽電池モジュールパネル１２を縦向きにして、複数、並列に外囲板６上に載置し、各外囲板６の両側部を対応する架台８の立ち上り部８ｂ，８ｃ，８ｄに載置し、架台８で太陽電池モジュールパネル１２の重量を支承するとともに、互いに左右に隣接する太陽電池モジュールパネル１２，１２の側部を、架台８上で、所定の間隔を存して対向させる。
【００１３】
次に、左右に隣接する太陽電池モジュールパネル１２，１２の側部にフレーム１０，１０を嵌合させ、且つ、係合凹部１０ｄを架台８の上位水平部８ｅ，８ｆに挿入する。次に、隣接する太陽電池モジュールパネル１２，１２の対向部にモジュール間カバー１４を配置し、フレーム１０，１０の上方に開口する引掛溝部１０ｃにモジュール間カバー１４の係合部１４ｂを嵌合させる。次に、板ナット２０の向きを変えて板ナット２０の長手方向の両側をフレーム１０の本体１０ａの下方に配置し、モジュール間カバー１４のボルト挿入穴１６に挿入したボルト１８を板ナット２０にねじ込み、フレーム１０を、ボルト１８の締付力で、モジュール間カバー１４と板ナット２０とで挟圧し、フレーム１０をモジュール間カバー１４に固定する。
【００１４】
このようにして左右の太陽電池モジュールパネル１２，１２の隣接対向部は、図２に示す構造により、モジュール間カバー１４によって結合される。ボルトを緩め、板ナット２０の向きを変えることで、モジュール間カバー１４をフレーム１０，１０間から外すことができ、これにより、左右の太陽電池モジュールパネル１２，１２の結合を解除することができる。
【００１５】
次に、太陽電池モジュールパネル結合構造の他の実施形態を図９を参照して説明する。
２６は、外囲板６上に載置されたアルミニューム製の架台であり、立ち上り部２６ａ，２６ｂにフレーム受け２６ｃ，２６ｄが一体的に形成されている。架台２６の他の構成は、第１の実施形と略同一である。板ナット２０は、横向きにしたときフレーム受け２６ｃ，２６ｄの下面と係合する形状に設定されている。
【００１６】
モジュール間カバー１４の係合部１４ｂ，１４ｂを、フレーム１０，１０の引掛溝部１０ｃ，１０ｃに係合させた状態でボルト１８を板ナット２０にねじ込むと、ボルト１８の締付力により、フレーム１０，１０は、モジュール間カバー１４とフレーム受け２６ｃ，２６ｄとで挟圧され、フレーム１０，１０は、架台２６に固定される。
【００１７】
図１０及び図１１は、太陽電池モジュールパネル結合機構の他の実施形態を示し、モジュール間カバー２８は両側がフレーム１０，１０の摩擦加工上面に対接し、板ナット２０に螺合するボルト１８の締付力によって、モジュール間カバー２８の両側は、フレーム１０，１０の上面に圧着し、フレーム１０，１０を架台２６のフレーム受け２６ｃ，２６ｄに圧着している。他の構成は、図９に示す実施形態と同一である。
【００１８】
上記実施形態はいずれも外囲板６を野地板２上に敷設しているが、野地板２に防水材４を敷設することで外囲板を特に設けなくとも雨漏りをふせぐことができる。図１２及び図１３は、野地板上に外囲板を設けない実施形態を指示し、架台３０が、防水材４の上から野地板２を通して、母屋に、防水構造を備えた市販のビス３３により固定されている。
【００１９】
太陽電池モジュールパネル１２の側部に嵌合されたフレーム１０は、架台３０のフレーム受け３０ａ，３０ｂに載置されている。モジュール間カバー１４の係合部１４ｂ，１４ｂは、フレーム１０の引掛溝部１０ｃに係合し、板ナット２０は、横向きとすることでフレーム受け３０ａ，３０ｂの下面と係合している。ボルト１８の締付力により、フレーム１０，１０は、モジュール間カバー１４とフレーム受け３０，３０ｂとで挟圧され、フレーム受け３０ａ，３０ｂに固着される。
【００２０】
太陽電池モジュールパネル１２，１２の下面は、架台３０と、野地板２上に所定間隔を存して並列に配置された図１２中紙面垂直方向に延びる、パネル支持片３２とによって支承され、太陽電池モジュールパネル１２と野地板２との間には、適宜な間隔によって、空気層が形成されている。前記パネル支持片３２は、長尺の帯状の金属板から成り、下位水平部と直立部と上位水平部が一体的に屈折形成されている。
【００２１】
本実施形態では、モジュール間カバーをフレーム１０の引掛溝部１０ｃに差し込む構造のものを採用したが、特にこの構成に限定されるものではなく、図１４に示すように、フレーム１０の上面に圧着するモジュール間カバー２８を用いても良い。図１４において、他の構成は、図１２，１３に示す実施形態と同一である。
【００２２】
【発明の効果】
本発明は上述の如く構成したので、太陽電池モジュールパネルを強固に連結でき、しかも太陽電池モジュールパネルの下方に十分な空気層を形成することができる。
【図面の簡単な説明】
【図１】本発明の正面断面図である。
【図２】本発明の要部の断面図である。
【図３】太陽電池モジュールパネルの全体外観図である。
【図４】架台の外観図である。
【図５】外囲板の外観図である。
【図６】外囲板の結合工程を示す説明図である。
【図７】モジュール間カバーの外観図である。
【図８】フレームの外観図である。
【図９】本発明の他の実施形形態を示す正面断面図である。
【図１０】本発明の他の実施形態を示す断面図である。
【図１１】本発明の他の実施形態を示す断面図である。
【図１２】本発明の他の実施形態を示す断面図である。
【図１３】本発明の他の実施形態を示す断面図である。
【図１４】本発明の他の実施形態を示す断面図である。
【符号の説明】
２          野地板
４          防水材
６          外囲板
６ａ        立ち上り部
６ｂ        上位水平部
６ｃ        下向き接続片
６ｄ        取付部
６ｅ        立ち上り部
６ｆ        下位平板部
６ｇ        吊子部
６ｈ        パネル支持片
８          架台
８ａ        底板部
８ｂ        立ち上り部
８ｃ        立ち上り部
８ｄ        立ち上り部
８ｅ        上位水平部
８ｆ        上位水平部
８ｇ        嵌合部
１０        フレーム
１０ａ      本体
１０ｂ      嵌合部
１０ｃ      引掛溝部
１０ｄ      係合凹部
１２        太陽電池モジュールパネル
１４        モジュール間カバー
１４ａ      平板部
１４ｂ      係合部
１６        ボルト挿入穴
１８        ボルト
２０        板ナット
２２        コイルスプリング
２４        ビス
２６        架台
２６ａ      立ち上り部
２６ｂ      立ち上り部
２６ｃ      フレーム受け
２６ｄ      フレーム受け
２８        モジュール間カバー
３０        架台
３０ａ      フレーム受け
３０ｂ      フレーム受け
３２        パネル支持片
３３        ビス
【図１】
0004330221.tif 000002
【図２】
0004330221.tif 000003
【図３】
0004330221.tif 000004
【図４】
0004330221.tif 000005
【図５】
0004330221.tif 000006
【図６】
0004330221.tif 000007
【図７】
0004330221.tif 000008
【図８】
0004330221.tif 000009
【図９】
0004330221.tif 000010
【図１０】
0004330221.tif 000011
【図１１】
0004330221.tif 000012
【図１２】
0004330221.tif 000013
【図１３】
0004330221.tif 000014
【図１４】
0004330221.tif 000015